(57)【要約】【課題】ノンワイヤータイプのブラジャーにおいて、運動時の胸の揺れ軽減効果、すなわち防振性に優れるブラジャーを提供する。【解決手段】ノンワイヤータイプの一対のカップ部、カップ部の前中心側を互いに連結する連結部、カップ部の脇側に隣接するウイング部、及び、端部が一対のカップ部とウイング部とに連結された肩紐部を備えたブラジャーであり、カップ部において、カップと肩部の接合部からカップ端部に沿って配置されたカップ補強部を有することを特徴とする。【選択図】図１
2017214663.tif 000002
【特許請求の範囲】
【請求項１】
ノンワイヤータイプの一対のカップ部、該カップ部の前中心側を互いに連結する連結部、該カップ部の脇側に隣接するウイング部、及び、端部が該一対のカップ部と該ウイング部とに連結された肩紐部を備えたブラジャーであり、
該カップ部において、カップと肩部の接合部からカップ端部に沿って配置されたカップ補強部を有することを特徴とするブラジャー。
【請求項２】
前記カップ補強部のヤング率が１．０×１０５Ｐａ〜５．０×１０７Ｐａである、請求項１に記載のブラジャー。
【請求項３】
前記カップ補強部は、少なくとも、前記肩紐部と前記ウイング部との連結点からカップ端部に沿って、該カップ部と該ウイング部の下端の接合点まで覆っている形状を有する、請求項１又は２に記載のブラジャー。
【請求項４】
前記カップ部の一部から前記ウイング部の一部に亘る領域において配置されたサブウイング部であって、該カップ部のバストトップから該ウイング部の背中心まで延ばした線分が最長となるようにブラジャーを配置し、かつ該線分と同一方向の法線を有する平面を規定した場合に、該線分上の該バストトップから該背中心に向かって０〜２５％の位置の該平面上及び５５〜１００％の位置の該平面上に、該サブウイング部と該本体との接合部が存在し、かつ該サブウイング部は該本体と接合されていない領域を有するサブウイング部を有する、請求項１〜３のいずれか一項に記載のブラジャー。
【請求項５】
前記カップ部においてカップ上縁に沿って伸びる上縁高応力部であって、カップ中央部の伸張応力Ｓ１に対する、上縁高応力部の伸張応力Ｓ２の比Ｓ２／Ｓ１が２／１〜４００／１である、上縁高応力部、及び、前記カップ部においてカップ下縁に沿って延びる下縁高応力部であって、カップ中央部の伸張応力Ｓ１に対する、下縁高応力部の伸張応力Ｓ３の比Ｓ３／Ｓ１が２／１〜４００／１である、下縁高応力部、のいずれか一方又は両方を有する、請求項１〜４のいずれか一項に記載のブラジャー。
【請求項６】
前記肩紐部の平均断面積が２０〜１２０ｍｍ２である、請求項１〜５のいずれか一項に記載のブラジャー。
【請求項７】
前記肩紐部のカップ部前中心側端点の距離が最大となるようにブラジャーを配置したときに、該肩紐部のカップ部前中心側端点と該連結部の前中心下端点とを結んで形成される三角形の面積に対する、ブラジャー構成部材で覆われていない部分の面積の割合が６０％以上である、請求項１〜６のいずれか一項に記載のブラジャー。
【請求項８】
最大着圧が５０ｈＰａ以下である、請求項１〜７のいずれか一項に記載のブラジャー。
【発明の詳細な説明】
【技術分野】
【０００１】
本発明は着用動作時の胸の揺れを抑えるブラジャーに関する。より詳細には、本発明は、ノンワイヤータイプのカップ部を有するブラジャーにおいて、快適性を損なわずに着用動作時の胸の揺れ抑制効果、すなわち防振性を備えたブラジャーに関する。
【背景技術】
【０００２】
通常、ブラジャーにおいては、ワイヤータイプとノンワイヤータイプがある。ワイヤータイプにおいては、カップ部下部周辺に設けたワイヤーにより乳房を支持することで、バスト形状の補正機能を付与するものであるが、ワイヤーとして一般的に用いられている金属や硬質プラスチックでは硬度が高く、着用時に体を締め付けたり、ワイヤーが食い込むことにより痛みを感じたりと着用感の悪さは否めない。一方、ワイヤーを設置しないノンワイヤータイプにおいては、着用時の締め付けやワイヤーの食い込みがなく楽に着用することが可能となる。しかし、バスト形状の補整に関してはワイヤータイプに比べ、補正機能が劣る。
【０００３】
ブラジャーは胸の形をきれいに整えることを主な目的の一つとするが、運動時の胸の揺れを抑えることも大きな役割の一つである。しかし、ブラジャーを着用していても、歩いたり、走ったりすると、胸が大きく揺れる場合が多い。特に胸のサイズが大きい場合には、その揺れは非常に大きくなり、不快及び着用者への負担になるばかりか胸の下垂の原因にもなる。この揺れを軽減する方法としては強い着圧のブラジャーをつける方法が効果を奏するが、この方法では着用快適性は著しく悪化する。
さらには、ワイヤータイプに比べ、ノンワイヤータイプは、ワイヤーによる抑えがないため、ワイヤータイプに比べ、胸が左右に流れやすくなり、揺れが大きくなってしまうのが現状である。
【０００４】
近年、楽な着用感からノンワイヤータイプが好まれており、造形性及び動作時の揺れを抑える機能等を有するノンワイヤータイプのブラジャーが求められているのが現状である。
【０００５】
以上より、日常での使用を考慮すると、胸の谷間を大きく開け、審美性を保った状態で、日常の軽い運動時に胸の揺れを軽減し、かつ締め付けが少なく楽に着用できるブラジャーの開発が望まれている。
【０００６】
特許文献１は、カップ部の少なくとも下部にバストに対して湾曲状の面を有するプレート状の造形補助部を配することで、着用者に圧迫感及び締め付け感を与えることなくバストの造形性を高めることができるブラジャーを記載する。
【０００７】
特許文献２は、カップ部の表側に難伸縮性又は非伸縮性のリフトアップ布を配し、本リフトアップ布の上端を前記ストラップ部と連結させることで、バストを持ち上げて高い位置に造形可能であり、且つ重みでバストが脇側に流れることを抑制可能なブラジャーを記載している。
【０００８】
特許文献３は、一対のカップ部、該カップ部の前中心側を互いに連結する連結部、ウイング部、及び端部が該一対のカップ部と該ウイング部とに連結された肩紐部を備えたブラジャーにおいて、該カップ部が少なくともパッドを有し、該パッドが、パッド上縁、若しくはパッド下縁、又はこれらの両者に沿って延びるパッド高応力部であって、パッドのバストトップ部の伸張応力Ｓ１に対するパッド高応力部の伸張応力Ｓ２の比Ｓ２／Ｓ１が２／１〜８０／１であるパッド高応力部を有する、ブラジャーを記載する。
【０００９】
特許文献３に記載される技術では、カップ部からウイング部の一部に亘る領域において、ブラジャー本体上にサブウイング部を配置している。本体の布帛と引張応力の異なる生地布帛から作製されたサブウイングを配置することで、着用時に本体布帛とサブウイングの引張応力差により、カップ部におけるサブウイング部の接合部からウイング部に向けて引っ張る力が働き、防振効果が発揮されるようにしている。
【先行技術文献】
【特許文献】
【００１０】
【特許文献１】国際公開第２０１３／０７６８７３号
【特許文献２】特開２０１５−２１２４３７号公報
【特許文献３】特開２０１４−１６３０１８号公報
【発明の概要】
【発明が解決しようとする課題】
【００１１】
特許文献１のブラジャーにおいては、カップ部の少なくとも下部にバストに対して湾曲状の面を有するプレート状の造形補助部を配することで、造形補助部が着用時にバストによって広げられ、弾性作用によって戻る力によってバストを挟むように作用することで、胸を上方向に移動させることができ、バストの造形性を高めることが可能になる。しかし、動作時においては、脇部においてバストをしっかりと支えていないため、動きに起因して、バストが脇側へ逃げてしまうことにより、動作時のバストの揺れ抑制としては十分な効果が得られない。
【００１２】
特許文献２のブラジャーにおいては、カップ部の表側に難伸縮性又は非伸縮性のリフトアップ布及び補強部材によって、バストを持ち上げる効果により胸を中央に寄せることが可能となり、造形性を得ることが可能になる。しかし、バストを引き上げる力はあるものの、脇部のブラジャーとバストとの接地面においては胸を抑える力が十分ではないため、動作時の揺れ抑制に関しては、十分な効果が得られない。
【００１３】
特許文献３のブラジャーにおいては、サブウイングによる効果により、胸の谷間を大きく開けながらも、快適性を損なうことなく、動作時の揺れを抑えることは可能となる。しかし、本ブラジャーのノンワイヤータイプにおいては、サブウイングにより胸を体幹へと引き寄せる際に、ワイヤーがないことで、脇部において、固定力が弱いため、胸が十分に固定できずに流れてしまうことで、十分な防振効果が得られないことがあった。
【００１４】
従って、本発明が解決しようとする課題は、ノンワイヤータイプのブラジャーにおいて、運動時の胸の揺れ軽減効果、すなわち防振性に優れるブラジャーを提供することであり、好ましくは、防振性に加え、快適性にも優れるノンワイヤータイプのブラジャーを提供することである。
【課題を解決するための手段】
【００１５】
本発明者らは、動作時には胸の揺れはあらゆる方向に発生しており、特許文献１〜３に示すワイヤータイプのブラジャーにおいては、ワイヤーがあることでブラと胸が密着し、左右の揺れが抑制されているのに対し、ノンワイヤータイプのブラジャーにおいては、十分に胸が固定できず、特にカップ脇部において胸とブラジャーの間に隙間ができてしまうことで、動作時に脇部において胸が移動可能なスペースができてしまい、左右の揺れが大きくなることを見出した。また、この左右の揺れに伴い、垂直方向の揺れも大きくなってしまうことを見出した。このため、ノンワイヤータイプのブラジャーにおいては、動作時に脇部において胸とブラジャーの間の隙間をなくし、胸が左右に流れないようにすることで、左右の揺れ及び垂直方向の揺れを抑制できるものと考えられる。
【００１６】
本発明者らは、上記課題を解決すべく鋭意研究し、実験を重ねた結果、カップと肩部の接合部からカップ端部に沿ってカップ部に補強部を有するブラジャーにおいて、補強部の物性を所定の値にすることで、動作時に胸が脇側に流れる動きを抑えることが可能となり、動作時の胸の揺れを低減させることが可能なことを見出し、本発明を完成するに至った。更に本発明においては、上記カップ部の補強に加え、所定の防振部を有することで、高い揺れ抑制効果が得られることを見出した。すなわち、本発明は以下のとおりである。
【００１７】
［１］
ノンワイヤータイプの一対のカップ部、該カップ部の前中心側を互いに連結する連結部、該カップ部の脇側に隣接するウイング部、及び、端部が該一対のカップ部と該ウイング部とに連結された肩紐部を備えたブラジャーであり、
該カップ部において、カップと肩部の接合部からカップ端部に沿って配置されたカップ補強部を有することを特徴とするブラジャー。
［２］
前記カップ補強部のヤング率が１．０×１０５Ｐａ〜５．０×１０７Ｐａである、［１］に記載のブラジャー。
［３］
前記カップ補強部は、少なくとも、前記肩紐部と前記ウイング部との連結点からカップ端部に沿って、該カップ部と該ウイング部の下端の接合点まで覆っている形状を有する、［１］又は［２］に記載のブラジャー。
［４］
前記カップ部の一部から前記ウイング部の一部に亘る領域において配置されたサブウイング部であって、該カップ部のバストトップから該ウイング部の背中心まで延ばした線分が最長となるようにブラジャーを配置し、かつ該線分と同一方向の法線を有する平面を規定した場合に、該線分上の該バストトップから該背中心に向かって０〜２５％の位置の該平面上及び５５〜１００％の位置の該平面上に、該サブウイング部と該本体との接合部が存在し、かつ該サブウイング部は該本体と接合されていない領域を有するサブウイング部を有する、［１］〜［３］のいずれかに記載のブラジャー。
［５］
前記カップ部においてカップ上縁に沿って伸びる上縁高応力部であって、カップ中央部の伸張応力Ｓ１に対する、上縁高応力部の伸張応力Ｓ２の比Ｓ２／Ｓ１が２／１〜４００／１である、上縁高応力部、及び、前記カップ部においてカップ下縁に沿って延びる下縁高応力部であって、カップ中央部の伸張応力Ｓ１に対する、下縁高応力部の伸張応力Ｓ３の比Ｓ３／Ｓ１が２／１〜４００／１である、下縁高応力部、のいずれか一方又は両方を有する、［１］〜［４］のいずれかに記載のブラジャー。
［６］
前記肩紐部の平均断面積が２０〜１２０ｍｍ２である、「１」〜［５］のいずれか一項に記載のブラジャー。
［７］
前記肩紐部のカップ部前中心側端点の距離が最大となるようにブラジャーを配置したときに、該肩紐部のカップ部前中心側端点と該連結部の前中心下端点とを結んで形成される三角形の面積に対する、ブラジャー構成部材で覆われていない部分の面積の割合が６０％以上である、［１］〜［６］のいずれかに記載のブラジャー。
［８］
最大着圧が５０ｈＰａ以下である、［１］〜［７］のいずれかに記載のブラジャー。
【発明の効果】
【００１８】
本発明のブラジャーは、ノンワイヤータイプでありながら所定のカップ補強部を備えることにより、胸が脇側に流れる動きを抑制することが可能となり、運動時の胸の左右動（Ｘ方向）を抑えることができる。且つ左右動に起因した上下動（Ｙ方向）及び前後動（Ｚ方向）を抑えることが可能となる。かつ、上記カップ補強部と特定の防振部との組み合わせにより、各方向に発生する振幅をさらに抑えることができる。また本発明の特定の態様においては、特定の防振部を有することにより、大きいカップサイズの場合でも運動時の胸の上下動（Ｙ方向）及び左右動（Ｘ方向）さらには前後動（Ｚ方向）を抑えることができ、且つ着圧が適切で快適なブラジャーを提供できる。また、本発明の特定の態様においては、カップの下縁及び／若しくは上縁に高応力部を設けること、特定の肩紐部を設けること、サブウイング部を設けること、又はこれらの任意の２つ以上の組合せにより、更に良好な揺れ抑制効果を発揮できる。本発明は、一般的なノンワイヤータイプのブラジャーに好適に適用できる。また、本発明によれば、大きいカップサイズの場合の揺れ抑制効果が特に顕著である。
【図面の簡単な説明】
【００１９】
【図１】本発明のブラジャーの構造の一例を示す模式図である。
【図２】本発明のブラジャーの構造の一例を示す模式図である。
【図３】本発明のブラジャーの構造の一例を示す模式図である。
【図４】本発明のブラジャーの構造の一例を示す模式図である。
【図５】本発明のブラジャーの構造の一例を示す模式図である。
【発明を実施するための形態】
【００２０】
以下、本発明の典型的な態様の例について詳細に説明する。
本開示の一態様は、一対のカップ部、該カップ部の前中心側を互いに連結する連結部、該カップ部の脇側に隣接するウイング部、及び端部が該一対のカップ部と該ウイング部とに連結された肩紐部を備えたブラジャーであり、該カップ部において、カップと肩部の接合部からカップ端部に沿って配置された補強部を有し、該カップ補強部のヤング率が１．０×１０５Ｐａ〜１．０×１０７Ｐａであり、且つ特定の防振部を有するブラジャーを提供する。カップ補強部と特定の防振部とを併存させることにより、カップ補強部のみ存在させる場合と比べてさらに高い防振効果が得られる。
【００２１】
図１を参照し、本発明の一態様に係るブラジャー１００は、一対のカップ部１０２（図中では、一対のうち一方を示している）と、該カップ部の前中心側を互いに連結する連結部１０１と、ウイング部１０３（これはカップ部１０２の脇側（すなわち着用者の脇側）に配置されている）を備える。連結部１０１は、例えば下辺テープとしてカップ部１０２の下縁に沿って延びてブラジャー下端を形成していてもよい。ウイング部１０３は着用者の背側に向かって延びる。ウイング部１０３は、基部と下辺部（例えばテープ）とを有することができる。各部材は布帛で構成されている。ブラジャーは、端部がウイング部１０３と一対のカップ部１０２とに連結された肩紐部１１０を更に備える。カップ補強部１０４は、図１を参照し、カップと肩紐部の接合面であるＷ１（肩紐部とウイング部の連結点Ｐ１から、肩紐部の中心側までの最短距離）において、Ｐ１から肩紐部中心に向け、Ｗ１の５０％以上の長さにおいて、肩紐部と接し、図１を参照に、少なくともＰ１からカップ端部に沿って、カップ部とウイング部の下端の接合点Ｔ１まで覆っている形状を形成する。
【００２２】
本開示のブラジャーにおいて、カップは着用者の乳房を受け入れることが想定される。また、連結部は、該カップ部の前中心側を互いに連結することが想定される。また肩紐部は、フロント部から延びて着用者の左右各々の肩に掛け渡された後、着用者の背面側でウイング部に接続することが想定される。
【００２３】
本開示で、「着用者側」とは、ブラジャーの裏側（すなわちカップが凹形状となる側）を意図し、「外側」とは上記着用者側と反対側を意図する。
【００２４】
本開示で、ブラジャーに関して言及する「ヨコ方向」（例えば、連結部のヨコ方向）とは、２つのカップの配列方向であり、具体的には、２つのカップのバストトップ位置が互いに最も離れるようにブラジャーを置いたときの、２つのバストトップ位置を結ぶ直線の方向を意図する。本開示で、ブラジャーの「タテ方向」とは、上記ヨコ方向と垂直の方向であり、着用者の身体の上下方向に対応することが意図される。
【００２５】
本開示で、「バストトップ位置」とは、ブラジャー着用時に着用者のバストトップに対応する位置（すなわち着用者の乳首に対応する位置）を意図する。バストトップ位置は、カップの膨らみ形状（凸形状）の頂部である。本開示で、ブラジャーの「前中心線」及び「背中心線」とは、それぞれ、２つのバストトップ位置を結ぶ線分の中点を通ってブラジャーのタテ方向に延びる線であって、前中心線はフロント部上、背中心線はウイング部上の線である。
【００２６】
本開示で、ブラジャーの周長とは、本体において、前中心線から背中心線を通って前中心線に戻るように引いた線の最短長さ（但し、ブラジャーが長さ調節機構（例えば後述の図４中の長さ調節機構１０８）を有する場合には周長が最大となるように長さ調節機構を調節した状態での値）を意図する。
【００２７】
特定の様態において、ブラジャーは、カップ部において、カップと肩部の接合部からカップ端部に沿って配置された補強部を有する。
【００２８】
通常、カップは着用者の乳房を受け入れることが想定される。しかし、実際にはカップ内では、胸はカップに完全に沿っておらず、固定されていない。特にカップ端部にワイヤーが無いノンワイヤータイプのブラジャーにおいては、ワイヤーによる固定力がないため、より胸の固定が不十分である。さらに動作時においては、胸の振動に伴い、カップと胸の間の隙間が広がると想定される。この際に、ワイヤーがカップ端部に存在する場合は、ワイヤーにより端部において、固定されることによって、カップ脇部の隙間が低減され、胸の流れるスペースがなくなることから、左右動が抑えられるのに対し、ノンワイヤータイプでは、上記固定力が十分に発揮できないため、脇部においては、動作時の胸の移動に伴い、ブラジャーと胸の間に隙間ができることにより、胸が流れてしまうスペースができてしまう。本現象が、ノンワイヤータイプにおいて、動作時の揺れが大きくなる原因と考えられる。
【００２９】
カップ補強部は、カップと肩部の接合部からカップ端部に沿ってカップ部に配置されることが好ましい。カップと肩部の接合面においては、Ｗ１（肩紐部とウイング部の連結点Ｐ１から、肩紐部の中心側までの最短距離）において、Ｐ１から肩紐部中心に向け、Ｗ１の５０％以上の長さにおいて、肩紐部と接していることが好ましい。Ｗ１の５０％以上の長さにおいて、肩紐部と接していることで、肩紐が胸を引っ張り上げる力が、カップ補強部に伝わることで、カップと胸の密着性が向上し、脇部において胸が移動するスペースを低減できることにより、胸が流れる動作を抑制できる。
【００３０】
カップ補強部１０４は、少なくともＰ１からカップ端部に沿って、カップ部とウイング部の下端の接合点Ｔ１まで覆っている形状を有することが好ましい。より好ましくはＰ１からカップ端部に沿って、カップ最下点であるＴ２までを覆う部分に配置されることが望ましい。カップ最下点であるＴ２までを覆う部分に配置されることで、揺れを抑える効果に加え、肩紐部と接合した補強部により、カップ下部から上方向へと胸を持ち上げることが可能となり、バストアップ効果も得られる。
【００３１】
カップ補強部１０４の幅は、Ｐ１からＴ１もしくは、Ｔ２を結ぶカップ端部から０．５〜４．０ｃｍに亘って配置されていることが好ましい。
【００３２】
カップ補強部１０４のヤング率は１．０×１０５Ｐａ〜５．０×１０７Ｐａであることが、上記揺れを抑える観点で有利である。上記ヤング率は好ましくは、５．０×１０５Ｐａ〜１．０×１０７Ｐａである。一般的なウレタンカップにおけるヤング率は、１．０×１０５Ｐａ未満である。このため、上記カップ補強部のヤング率が、１．０×１０５Ｐａ以上であると、着用時及び動作時に胸が脇側に流れるのを十分に抑制することができ、運動時の胸の左右動（Ｘ方向）を抑えることができる。且つ左右動に起因した上下動（Ｙ方向）及び前後動（Ｚ方向）を抑えることが可能となる。また、５．０×１０７Ｐａ以下であることで、補強部が硬くなり過ぎないために着用時の快適性を損なわず揺れを抑えることが可能となる。
【００３３】
尚、本開示で言及される物性値は、カップ補強部が２層以上（例えばウレタンパッド及び布帛の２層）から構成されている場合には、２層以上を重ねた状態で伸張応力を測定する。
【００３４】
尚、ヤング率は、具体的には、水平方向（例えば後述の図３中の直線Ｌ１の方向）及び垂直方向（水平方向に対し、９０°の方向）に伸張させたときのヤング率として測定される。ヤング率は、生地の伸張応力を測定した後、以下の様に歪と生地の伸張応力の関係から算出される。
ヤング率[Ｐａ]＝（生地の伸張荷重[Ｎ/ｍｍ]／生地厚み[ｍｍ]）／（歪[-]）
上記伸張荷重とは、ＪＩＳ  Ｌ１０９６．８．１２．１  Ａ法のカットストリップ法引張り試験に準拠して布帛のタテ方向１０％伸張時応力（Ｎ／２．５ｃｍ幅、以下単にＮと記す）及びヨコ方向１０％伸張時応力（Ｎ）を測定した値である。本値を用い、上記式に従い、生地の厚み及び歪の関係性より、タテ方向及びヨコ方向のヤング率を算出する。
その後、これらを平均した値をカップ補強部におけるヤング率として用いる。また、この時、タテ方向及びヨコ方向のヤング率の比であるタテ方向のヤング率/ヨコ方向のヤング率の値は０．１〜１０の範囲であることが望ましい。上記範囲であることで、タテヨコの応力バランスが取れ、胸にカップがフィットしやすくなることにより、良好な着用感が得られる。
【００３５】
なお本開示で言及される物性値は、特記がない限り、ブラジャーの各部の端部を把持して測定してもよいし、各部から布帛を切り出して測定してもよく、いずれかの方法で測定される物性値が本開示の値となればよいことが意図される。
【００３６】
カップ補強部を形成する場合には、カップの所定の位置において、編組織、使用糸尚デニールの変更により伸張応力の高い部位を配してもよい。また、ブラジャーの内側（すなわち着用者肌面側）に、補強布を縫いつけ又は接着する方法を用いることができる。若しくは、カップにウレタンパッドを使用する場合は、ウレタンパッドをモールド処理する際等に、高応力部となる織物等を挟み込むことで、パットの一部の剛性を高める方法等を使用してもよい。
【００３７】
なお本開示のカップ補強部は、特定の防振部との組み合わせより、さらに各方向において胸の振幅を抑えることが可能となる。特に、防振部の中でもサブウイングと併用することで、カップ補強部において、脇に流れる胸を抑えると共に、サブウイングにおいて、体幹方向に胸を抑え、固定することが可能となるため高い防振効果が得られる。
【００３８】
上記に加え、サブウイング部を設けること、カップ上縁及び／又は下縁の高応力部を設けること、並びに肩紐部に防振部を設けることによって、さらに外観上の大きな揺れを抑制することが可能となる。本開示で言及される防振部は、サブウイング及びカップ上縁高応力部、下縁高応力部また、肩紐部への補強を示している。
【００３９】
特定の態様において、ブラジャーはカップの上縁に沿って延びる上縁高応力部（例えば図１における上縁高応力部１０５）を有する。
【００４０】
特定の態様において、ブラジャーはカップの下縁に沿って延びる下縁高応力部（例えば図１における下縁高応力部１０６）を有する。
【００４１】
図２を特に参照し、特定の態様において、ブラジャーは、防振部として、サブウイング部１０９を有する。サブウイング部は、体の体幹方向に胸を引きよせることで、カップと胸との密着性を高め、これらを一体化させる効果に優れ、動作時の胸の浮きを防ぐ効果がある。
【００４２】
典型的な態様において、サブウイング部は、カップ部の一部である領域とウイング部の一部である領域とに亘って連続する領域の本体に重ねられている。特定の態様において、サブウイング部は、各々のカップ部のバストトップＨと対応するウイング部の背中心Ｃとを結ぶ線分Ｉが最長となるようにブラジャーを配置し、且つ該線分と同一方向の法線を有する平面Ｓを規定した場合に、該線分Ｉ上のバストトップＨから該背中心に向かって０〜２５％の位置の該平面上及び５５〜１００％の位置の該平面上に、該サブウイング部と該本体との接合部（例えば図２中のカップ側接合部１０７ａＳ及びウイング側接合部１０７ｂＳ）が存在し、かつ該サブウイング部は本体と接合されていない領域を有する。本開示で、背中心とは、着用者の背中心に対応する線上の、ウイング部布帛上下方向中央の点を意味する。例えば、ウイング部がホック部を有する場合には、ホック部を留めた状態で背中心が規定される。本開示で、「背中心」を用いて画定される形状又は寸法に関する規定について、ウイング部に長さ調節機構が存在する場合には、長さ調節機構のいずれか１つの位置で規定される背中心に関して上記規定が満たされればよいことに留意すべきである。
【００４３】
サブウイング部と本体とは、典型的には以下の２つの接合部を有する。第１の接合部は、前述のように規定される平面Ｓに関し、線分Ｉ上のバストトップＨから背中心Ｃに向かって、０〜２５％、好ましくは５〜２５％、より好ましくは８〜２３％の位置の該平面上に存在する。第１の接合部の位置がバストトップから背中心に向かって０％以上である場合は、バストトップに引っ張り力が大きくかかり過ぎず着用感が良い。一方、２５％以下である場合はバストを身体の体幹方向に引き寄せる力が働きやすく高い防振性が得られる。第２の接合部は、前述の平面Ｓに関し、線分Ｉ上のバストトップＨから背中心Ｃに向かって、５５〜１００％、好ましくは５５〜９５％の位置の該平面上に存在する。第２の接合部の位置がバストトップから背中心に向かって５５％以上である場合は、バストトップに引っ張り力がかかりやすく高い防振性が得られる。一方、該接合部の位置がバストトップから背中心に向かって１００％以下である場合は、バストを身体の体幹方向に引き寄せる力が働きやすく高い防振性が得られる。
【００４４】
サブウイング部と本体との接合部は、前述のように規定される平面Ｓに関し、線分Ｉ上のバストトップＨから背中心Ｃに向かって０〜２５％の位置の該平面上及び５５〜１００％の位置の該平面上以外の部位にさらに存在してもよい。しかし、サブウイング部による防振効果をより良好に得る観点から、上記平面Ｓに関し、上記線分Ｉ上のバストトップから背中心に向かって、例えば２５％超から５５％未満の位置の該平面上に接合部が存在しないことが望ましい。
【００４５】
サブウイング部の、着用時に引張力を受ける領域の面積のうち、本体と接合されていない領域の面積は、良好な防振効果を得る観点から、好ましくは３０％以上、より好ましくは６０％以上、更に好ましくは８０％以上であり、サブウイング部と本体とがしっかりと接合されているという観点から、好ましくは９９．５％以下、より好ましくは９９％以下、更に好ましくは９８％以下である。
【００４６】
サブウイング部長さは、典型的には、後述のように規定される線分Ｌａ＋Ｌｂの長さである。線分Ｌｂの長さは、ウイング部の長さの２０〜９０％であることが好ましい。ウイング部の長さ、並びにＬａの幅及びＬｂの幅の求め方を以下に図３及び４を参照して説明する。
【００４７】
ブラジャー最下端に接するように引いた直線Ｌ１から、カップ上縁とカップ脇縁との境界点Ｐａまでの最短距離を規定する線分Ｌ２を仮想する。線分Ｌ２を通りかつ線分Ｌ２と垂直をなす平面と、本体の布帛表面（着用者からみて外側の表面）との交線のうち、カップ部領域内の長さが最大となる交線を選び、該交線とカップ脇縁との交点をＭ１とし、該交線とカップ側接合部１０７ａＳにおけるサブウイング部端部側の辺縁との交点をＭ２とし、該交線上のＭ１とＭ２との間の線分を線分Ｌａとする。該交線とウイング側接合部１０７ｂＳのサブウイング部端部側の辺縁との交点をＭ３とする。該交線上のＭ２とＭ３との間の線分を線分Ｌｂとする。
【００４８】
ウイング部の長さとは、Ｍ１から、ウイング部の背部端（ウイング部端にホック部を有する場合はホック部との境界、ホック部を有さなければ着用時の背中心Ｃまでの布帛上での最短長さを意味する。
【００４９】
上記線分Ｌ２の長さは、５ｃｍ〜２５ｃｍが適当である。
【００５０】
サブウイング部長さｍ１は本体との接合部のＭ２とＭ３とを結ぶ生地の中での最短長さとする。また、本体における線分Ｌａ及び線分Ｌｂの合計の長さを本体の接合部間長さｍ２とする。通常ブラジャーは１５〜２５％程度伸張させた状態で着用する。サブウイング長さｍ１、本体における接合部間長さｍ２、並びに、サブウイング部及び本体の生地の応力は、所望の伸び率で所望の防振効果を実現するように設計することが好ましい。
【００５１】
ここでの着用時の本体伸び率、すなわち｛（アンダーバストサイズ）／（ブラジャーの最下部の周長）×１００｝−１００（％）をＥ２とし、一方、サブウイング部が設定の応力を与えるためのサブウイング部伸び率をＥ１とすると、下記式：
（１＋Ｅ２／１００）×ｍ２＝（１＋Ｅ１／１００）×ｍ１
の関係となり、ｍ１は、
ｍ１＝｛（１＋Ｅ２／１００）×ｍ２｝／（１＋Ｅ１／１００）
で表される。
【００５２】
具体的な態様において、サブウイング部の生地物性としては、ブラジャーのヨコ方向における３０％繰り返し伸張試験における３回目伸張時の伸張応力が１．５〜８．０Ｎであることが望ましい。上記サブウイング部の伸張応力が１．５Ｎ以上あれば、所望の応力が良好に得られるため、防振効果が良好であり、一方８．０Ｎ以下であれば、サブウイングがきつすぎず、着用時に不快にならない。
上記の伸張応力と伸び率との関係は、ＪＩＳ  Ｌ１０９６．８．１２．１  Ａ法のカットストリップ法に準拠して実施する。
【００５３】
サブウイング部の布帛は必ずしも本体の布帛より伸びにくい必要はなく、サブウイング部の伸びやすさに応じてｍ１とｍ２との長さを上述の式により調整することにより、ブラジャーの肌へのフィット効果を高め、且つ、着用時にサブウイング部のカップ側接合部に引張り力がかかり、防振効果を発揮させることができる。なお、所望の伸張応力を良好に発揮する観点から、ｍ１及びｍ２の長さは、それぞれ、上記式で定められる設計の値から、±１０％、又は±８％、又は±５％を超えて外れないようにすることが好ましい。
【００５４】
サブウイング部は胸のＸ、Ｙ、Ｚ方向の揺れのうち、特にＸ及びＺの方向の防振性に大きく寄与する。すなわちサブウイング部は、カップと胸との密着性を高めてこれらを一体化させる効果に優れ、動作時の胸のはみ出しを防ぐ効果がある。カップと胸との密着性を高めてこれらを一体化させる効果は特にＺ方向の防振性により有効に発揮され、胸のはみ出しを防ぐ効果は特に引っ張り力のかかっているＸ方向の防振性により有効に発揮される。
【００５５】
カップ補強部１０４とサブウイングを併用することによって、ノンワイヤータイプのブラジャーにおいても、十分な防振効果を得ることが可能となる。前記のように、サブウイングによる効果は胸を体幹方向に引き寄せることで、カップと胸の間の隙間をなくすことが可能となり、しっかりと胸を固定することが可能となる。しかし、ワイヤーが無い場合は、脇部における胸との固定が弱いことにより、サブウイングにより体幹方向に引き寄せた際に、脇部へと胸が移動してしまい、体幹方向へ引き寄せる力が十分に発揮できず、しっかりと胸を固定できていない。これに対し、カップ補強部がカップ脇部に存在することで、サブウイング部によって、体幹方向に胸が引き寄せられる際に、補強部により胸が脇側に流れようとすることを抑制することによって、しっかりとカップと胸との密着性を高めることが可能となり、同時に胸の揺れを抑制することが可能となる。
【００５６】
サブウイング部は、綿織物、ポリエステル織編物等の、本体の布帛よりも伸びの小さい布帛、又はパワーネット組織の編地等の、本体の布帛よりも伸びの大きい布帛によって構成することができる。サブウイング部の本体との接合部がカップ部側とウイング部側との両端である場合、カップ部側及びウイング部側の両端で本体用の布帛とサブウイング部用の布帛とを重ね、縫合、溶着又はその他の方法で固定することによりサブウイング部を形成できる。
【００５７】
別の態様では、カップの上縁部に高応力部を配することにより防振効果を発現できる。上縁高応力部は、カップ上縁部に沿って延びて配置されている。なお、上縁高応力部はカップ部の実質的な周縁部分の少なくとも一部を構成すればよい。
【００５８】
カップ部において、中央部の伸張応力Ｓ１に対する、上縁高応力部の伸張応力Ｓ２の比Ｓ２／Ｓ１は、２／１〜４００／１であることが好ましい。本開示で、カップの中央部とは、カップのトップ部（すなわち着用者のバストのトップ部に対応する位置）を含み単一の伸張応力を有している領域を意味する。本開示において、伸張応力とは、ＪＩＳ  Ｌ１０９６．８．１２．１  Ａ法のカットストリップ法引張り試験に準拠して布帛のタテ方向１０％伸張時応力（Ｎ／２．５ｃｍ幅、以下単にＮと記す）及びヨコ方向１０％伸張時応力（Ｎ）を測定し、これらを平均した値（以下、タテヨコ平均伸張応力、又は単に伸張応力ともいう）をいう。
【００５９】
カップ部が２層以上（例えばウレタンパッド及び布帛の２層）から構成されている場合には、２層以上を重ねた状態で伸張応力を測定する。
【００６０】
上記比Ｓ２／Ｓ１が２／１以上であれば、高応力部による胸の揺れの抑制効果が大きい。一方上記比Ｓ２／Ｓ１が４００／１以下であれば、該高応力部における伸張応力が高くなりすぎず、硬くフィットしにくいブラジャーとなることを回避できる。上記比Ｓ２／Ｓ１は、３／１〜１００／１であることが好ましく、５／１〜８０／１であることがより好ましく、特に好ましくは１０／１〜６０／１である。
【００６１】
上縁高応力部は胸のＸ、Ｙ、Ｚ方向の揺れのうち、特にＸ及びＹの方向の防振性に大きく寄与する。歩く、走る等の動作時には人体の上下動に対し、幾分かの遅れをもって、カップに納まっている胸が上下する。この場合の上方への胸の揺れは、上縁高応力部を設けることにより、効果的に抑制できる。さらに歩く、走る等の動作時には人体の上下動に加えて、体を回転させる左右動も同時に発生する。更に、上縁高応力部をカップ上縁に沿って延びるように設けると、通常、上縁高応力部を水平方向に対してやや斜めに取り付けることができる。これにより、左右動による胸の内側への揺れ、すなわちＸ方向の揺れを抑制することが可能となる。
【００６２】
上縁高応力部はカップ部の上部に幅０．５〜５．０ｃｍに亘って配置されていることが好ましい。上記幅は１．０〜４．０ｃｍであることがさらに好ましい。また、上記幅は任意にデザインできる。例えば、上縁高応力部の幅は、カップ部の着用者身体の前中心側で細く、脇側で太くなるようにデザインできる。
【００６３】
また、別の態様では、カップの下縁部に高応力部を配することにより防振効果を発現できる。下縁高応力部は、カップ部の下縁部に沿って延びて配置されている。なお、下縁高応力部はカップ部の実質的な周縁部分の少なくとも一部を構成すればよい。
【００６４】
カップ部において、中央部の伸張応力Ｓ１に対する、下縁高応力部の伸張応力Ｓ３の比Ｓ３／Ｓ１は、２／１〜４００／１であることが好ましい。Ｓ３／Ｓ１が２／１以上であれば、高応力部による胸の揺れの抑制効果が大きい。一方上記比Ｓ３／Ｓ１が４００／１以下であれば、該高応力部における伸張応力が高くなりすぎず、硬くフィットしにくいブラジャーとなることを回避できる。上記比Ｓ３／Ｓ１は、３／１〜１００／１であることが好ましく、５／１〜８０／１であることがより好ましく、特に好ましくは１０／１〜６０／１である。
【００６５】
下縁高応力部は胸のＸ、Ｙ、Ｚ方向の揺れのうち、特にＹ方向の防振性に大きく寄与する。歩く、走る等の動作時には人体の上下動に対し、幾分かの遅れをもって、カップに納まっている胸が上下する。この場合の下方にたたきつけるような胸の揺れが、下縁高応力部を設けることにより、効果的に抑制できる。
【００６６】
下縁高応力部はカップ部の下部に幅０．５〜４．０ｃｍに亘って配置されていることが好ましい。上記幅は１．０〜３．０ｃｍであることがさらに好ましい。上記幅は任意にデザインできる。例えば、カップ部の着用者身体の前中心側で細く、脇側で太くなるようにデザインできる。
【００６７】
上縁高応力部と下縁高応力部とをともに設ける場合には、カップ部全体の面積に対する、上縁高応力部と下縁高応力部との面積の和の割合は５％〜５０％であることが好ましく、１０％〜４０％であることが特に好ましい。上記割合が５％以上である場合補強効果が大きく、大きいカップであっても胸の揺れ抑制効果が良好に得られる。一方、上記割合が５０％以下である場合、着用時の不快感を良好に回避できる。上縁高応力部と下縁高応力部との面積比率は特に限定されない。
【００６８】
上縁高応力部及び下縁高応力部の伸張応力Ｓ２及びＳ３は、それぞれ２０〜５００Ｎであることが好ましく、より好ましくは５０〜４００Ｎ、更に好ましくは１００〜３５０Ｎである。上記伸張応力が２０Ｎ以上である場合、補強効果が大きく、５００Ｎ以下である場合、着用時の不快感を良好に回避できる。上縁高応力部と下縁高応力部との伸張応力比率は特に限定されない。また、中央部の伸張応力は０．５〜５０Ｎであることが好ましく、より好ましくは１〜２０Ｎ、更に好ましくは１．５〜１５Ｎ、特に好ましくは２〜１０Ｎである。上記伸張応力が０．５Ｎ以上である場合、着用時及び洗濯時に破れ等が起こりにくく、５０Ｎ以下である場合、着用時の不快感を良好に回避できる。
【００６９】
カップ部に上縁高応力部及び／又は下縁高応力部を形成する場合には、カップの所定の位置において、編組織、使用糸尚デニールの変更により伸張応力の高い部位を配してもよい。また、ブラジャーの内側（すなわち着用者肌面側）に、上縁高応力部又は下縁高応力部となる補強布を縫いつけ又は接着する方法を用いることができる。若しくは、カップにウレタンパッドを使用する場合は、ウレタンパッドをモールド処理する際等に、高応力部となる織物等を挟み込むことで、パットの一部の剛性を高める方法等を使用してもよい。
【００７０】
特定の態様において、防振部としての肩紐部は、平均の断面積が２０〜１２０ｍｍ２である。この場合、防振性を良好に達成できる。該平均断面積は２５〜１００ｍｍ２であるとさらに好ましい。断面積は肩紐の幅（ｍｍ）×肩紐の厚み（ｍｍ）を意味する。平均断面積は、肩紐部の両端部及びその間を１０等分した各部で測定された断面積の数平均値である。平均断面積は、具体的には以下のように算出できる。
【００７１】
図１及び図４を参照し、肩紐部の平均断面積は、肩紐部のカップ部側（すなわち前側）の端部（すなわち付け根部）の幅Ｗ１×厚み（図示せず）で算出される断面積、ウイング部側（すなわち後側）の端部（すなわち付け根部）の幅Ｗ２×厚み（図示せず）で算出される断面積、及び、カップ部側の端部とウイング部側の端部との間を肩紐部の長さ方向に１０等分する断面（すなわち９つの断面）について、各々の幅×厚み（図示せず）（例えば図１中の幅Ｗ３×厚み）で算出される断面積、の数平均値である。なお、幅Ｗ１及び幅Ｗ２は、それぞれ、肩紐部とカップ部及びウイング部のそれぞれとの脇側の連結点Ｐ１及びＰ２から、肩紐部の中心側までの最短距離を意味する。なお、肩紐の長さを調節するアジャスターを備える場合には、アジャスターの長さを最大にして計測する。
【００７２】
胸の重さは肩紐部分に大きくかかり、特にカップサイズの大きい場合にはその力は非常に大きくなる。そのため、スポーツブラ及びカップサイズの大きいブラジャーの場合には肩紐部の幅を大きくする工夫がされている。しかし、肩紐部の幅が広い場合には、セクシーさが失われ、審美性に劣る。肩紐部の幅が狭い場合であっても、肩紐部の断面積を大きくすることで、振動を吸収し、カップ部を安定して支えることができる。肩紐部の平均断面積が２０ｍｍ２より小さい場合には振動を吸収する効果が小さい傾向がある。肩紐部の平均断面積が１２０ｍｍ２より大きい場合には振動は吸収するが、幅を大きくした場合には審美性が損なわれ、厚みを大きくした場合にはごわつき等の肌触り及びアウターへの響きが問題になる傾向がある。ただし、前述のようにブラジャーの他の部位で補強を施した場合には、肩紐部の平均断面積を２０ｍｍ２の例えば約８０％以上とすればブラジャーの優れた防振性を保つことができる。例えば、上縁高応力部、下縁高応力部、及びサブウイング部の１つ又は２つ以上を設ける場合、肩紐部の平均断面積を１６ｍｍ２以上１２０ｍｍ２以下とすることができる。
【００７３】
肩紐部の背側連結中心は、ウイング部の背中心からカップ部側に向かってウイング部の長さの好ましくは２５〜６０％、より好ましくは３０〜５０％離れた位置に存在する。肩紐部の背側連結中心の、ウイング部の背中心からのずれが２５％以上である場合、防振性に優れる利点があり、６０％以下である場合、肩紐部がずり落ち難い利点がある。なおウイング部の長さは前述のように規定される。また肩紐部の背側連結中心とは、図４中、幅Ｗ２をなす線分の中点からウイング部の長さをなす線分に下ろした垂線と、該ウイング部の長さをなす線分との交点を意味する。
【００７４】
肩紐部の伸度（パワー）は、長さ方向に０．５Ｎ／ｍｍ２の加重時の伸びで計測され、３０〜８０％であることが好ましく、４０〜７０％であることがさらに好ましい。伸びはＪＩＳ  Ｌ１０９６．８．１２．１  Ａ法のカットストリップ法引張り試験に準拠して測定できるが、肩紐部全体をつかみ間隔とし、測定の荷重は平均断面積に０．５Ｎを乗じた荷重とする。肩紐部のパワーが３０％以上であれば硬くなりすぎず、振動を良好に吸収できる。肩紐部のパワーが８０％以下であれば伸びが大きくなりすぎず、振動を良好に吸収できる。
【００７５】
肩紐部１１０は、一部に、他の部分よりも小さい伸張応力を有する低応力部を有することが好ましい。このような低応力部を設けることにより着圧の集中を防ぎ、快適性を高めることができる。例えば、図１を参照し、肩部１１０ａを含む領域に、他の部分よりも小さい伸張応力を有する低応力部を有することが望ましい。
【００７６】
肩紐部は胸のＸ、Ｙ、Ｚ方向の揺れのうち、特にＹ方向の防振性に大きく寄与する。歩く、走る等の動作時には人体の上下動が起こり、幾分かの遅れをもって、カップに納まっている胸の上下動が起こるが、一定以上の断面積をもつ肩紐部でカップを上から支えることにより、胸の上下動を押えることができる。さらに肩紐部を中央近くではなく脇側近くに取り付けることにより、胸のＸ、Ｙ、Ｚ方向の揺れのうち、Ｘ方向の防振性にも大きく寄与する。肩紐部を脇側近くに取り付けることにより、カップを斜め上側に引っ張る力が働くため、歩く、走る等の動作時の人体の回転の動きを効果的に抑制できる。肩紐部の取り付け位置は、前側はカップの脇側端部から概ねＸ方向に３ｃｍ以内の位置、後側は背中心と脇中心（すなわち前中心と背中心との中間）との中点から脇側に５ｃｍ以内の位置が好ましい。さらに肩紐部は体の後面側に向かって前面のカップを引っ張っているため、Ｚ方向の防振性にも寄与する。
【００７７】
本発明のブラジャーは、上述したとおり、カップ部に所定の物性を有したカップ補強部を有し、且つ防振部が、サブウイング部、カップの上縁高応力部、カップの下縁高応力部、及び特定の平均断面積の肩紐部のうち１つ又は２つ以上の組合せである場合、特にサブウイング部を備える場合においては、特段の防振効果を発現できる。特にそれぞれのＸ、Ｙ又はＺの方向への防振効果を組み合わせることにより、より一層防振性を高めることができる。例えば、カップ補強部とサブウイング部と、カップの上縁高応力部若しくはカップの下縁高応力部若しくは肩紐部又はこれらの２つ以上との組合せは、Ｘ、Ｙ及びＺの各方向の揺れを軽減かつ分散することができ、非常に好ましい。また、防振部が、サブウイング部、カップの上縁高応力部、カップの下縁高応力部、及び特定の平均断面積の肩紐部、のうち２つ以上の組合せである場合には、各々防振部における特性値（特に、前述の高応力部についての伸張応力比、及び肩紐部の平均断面積）の好ましい範囲の下限値を２０％程度低減することも可能である。例えば、肩紐部の平均の断面積が２０〜１２０ｍｍ２である場合には良好な防振性が得られるが、前述のように、他の部位にも防振部を設けた場合には平均断面積１６〜１２０ｍｍ２で良好な防振性が得られる。
【００７８】
各部材は、それぞれ別個の布帛で形成されていてもよいし、連続した布帛で形成され、形状のみで部材間の境界が画定されてもよい。後者の場合、特にカップ部の外縁は、カップの膨らみの縁が明確であれば縁の位置、不明確であれば膨らみ形状から想定される縁と見なされる位置として画定される。
【００７９】
防振部は、本体とは別の布帛の補強部として構成されてもよく、例えばサブウイング部は前述のように本体を構成する生地（本開示で、身生地ともいう。）に接合されて取り付けられる。このような補強部は、身生地にパワー切替え等により（すなわち伸張応力の強弱をつけることにより）設けられるものと比べ、防振性がより良好であるという利点を有する。
【００８０】
身生地は、それぞれ別個の布帛で形成されていてもよいし、連続した布帛で形成され、形状のみで部材間の境界が画定されてもよい。後者の場合、特にカップの外縁は、カップの膨らみの縁が明確であれば縁の位置、不明確であれば膨らみ形状から想定される縁と見なされる位置として画定される。
【００８１】
図５を参照し、特定の態様においては、肩紐部のカップ部前中心点Ｑ１、Ｑ２間の距離が最大となるようにブラジャーを配置した時に、肩紐部のカップ部前中心側端点Ｑ１、Ｑ２と連結部の前中心下端点Ｑ３とを結んで形成される三角形Ｔの面積に対する、ブラジャー構成素材で覆われない部分１１１の面積割合が６０％以上であることが好ましく、７０％以上であることがより好ましく、８０％以上であることがさらに好ましく、最も好ましいのは、１００％である。この三角形は、いわゆる胸の谷間の部分を形成する。上記割合が６０％以上ある場合、谷間が隠れてしまうことを防止して良好な審美性を実現できる。本発明のブラジャーは、例えば、特定の防振部を有することによって達成される、後述のような特定の揺れ値を有することができる。本開示のブラジャーは、上記割合が６０％以上である、いわゆる開放された状態であっても、防振性に優れる点で有利である。
【００８２】
本開示のブラジャーは、特定の防振部を有することによって、良好な防振性を示す。従って、胸の揺れを抑えながら、各部位の着圧を５０ｈＰａ以下にすることができるために本開示の最大着圧を５０ｈＰａ以下にすることができ、着用時の不快な締め付け感を回避できる。一般には、胸の揺れを抑制するためには締め付けを強くすることが多く、特に肩部の着圧が非常に高いブラジャーが散見される。しかし、ブラジャーの各部位の着圧が５０ｈＰａを超えると一般に不快である傾向がある。本発明においては、Ｘ、Ｙ、Ｚの各方向の胸の動きが抑制され、分散されているために、着圧の集中も防ぐことができる。特に上述の肩紐部の補強は着圧分散効果に優れる。最大着圧は、より好ましくは４５ｈＰａ以下、更に好ましくは４０ｈＰａ以下である。一方、最大着圧は着用時のずれを抑え、また揺れを抑える観点から、例えば、好ましくは１０ｈＰａ以上、より好ましくは１３ｈＰａ以上、更に好ましくは１５ｈＰａ以上であることができる。
【００８３】
本開示のブラジャーの各部材（すなわち、身生地及び補強部をそれぞれ構成する部材）の素材は特に限定されず、ポリエステル系繊維、ポリアミド系繊維等の合成繊維、レーヨン、キュプラ、アセテート等のセルロース系繊維、及び綿、麻等の天然繊維が好適に用いられる。各部材を構成する布帛の構造も特に限定されず、編物、織物、不織布等が用いられる。また、捲縮された繊維を用いてもよい。本発明においては、各部材に適正な伸張特性を有する布帛を配置することが有効である。各部材においては、ポリウレタン弾性繊維が交編された伸びを有する編地が好適に用いられる。また、カップ及びウイング部の生地にはダブル丸編、トリコット編、ラッセル編等を使用でき、トリコットハーフ生地が好適に用いられる。使用する編機の編ゲージとしては２０〜４０ＧＧが好ましい。また、高応力部には織物又は経挿入の経編み物等が好適に用いられ、若干伸びのあるレース等は意匠性にも優れ非常に好適に用いられる。
【００８４】
各部材は、モノフィラメント又はマルチフィラメントで構成できる。マルチフィラメント糸には、二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
【００８５】
本開示のブラジャーの各部材を構成する布帛素材の総繊度は、衣料等で一般的に使用されている範囲であることができる。中でも、強度及びソフトさの観点から、総繊度が約２２〜７００ｄｔｅｘであることが好ましい。
【００８６】
ブラジャーの各部材に用いる布帛の目付は特に限定されないが、約５０〜５００ｇ／ｍ２が好ましい。
【００８７】
また、各部材に用いる布帛には吸水加工を施すことが望ましい。
【００８８】
カップにウレタンパッドを使用する場合は、特に限定はしないが、厚み２〜１５ｍｍのウレタンパッドが好適に用いられる。また、立体編み物をカップに用いて通気性を高めることも好ましい。
【００８９】
カップ補強部に使用する布帛としては、特に限定はしないが、綿織物、ポリエステル織編物、ポリアミド素材の織編物又はパワーネット組織の編地、ツーウエイ組織の編地等のポリウレタン弾性繊維を含む布帛等によって構成することができる。
【００９０】
本開示のブラジャーは防振性に極めて優れる。揺れの程度を客観的に評価するために、以下の方法を用いることができる。身長１６０ｃｍ±８ｃｍで（トップバスト寸法−アンダーバスト寸法）の値が１７．５ｃｍ以上である５名の被験者にブラジャーを着用させ、トレッドミルで速度５．５ｋｍ／ｈ、１分間に１５０歩のペースで、着地時に片足が地面から離れているように小走りさせる。この際、鎖骨部及びバストトップ部に直径２．０ｃｍの反射球を取り付けておき、反射球を２台の高速カメラで２０秒間撮影する。鎖骨部の揺れが７．０ｃｍ程度となるように小走りしたときの胸の揺れの指標として、（バストトップの揺れ）−（鎖骨の揺れ）（ｃｍ）の２０秒間での（極大値の平均）−（極小値の平均）（ｃｍ）を、ヨコ（Ｘ）、タテ（Ｙ）及び奥行き（Ｚ）の３方向について算出する。ここでＸ方向はブラジャーのヨコ方向を意味し、Ｙ方向及びＺ方向はそれぞれＸ方向に対して垂直である。３方向の値のうち最も大きい値を着用時の揺れ（ｃｍ）とし、（トップバスト寸法−アンダーバスト寸法）の値（ｃｍ）で除して揺れ値とする。揺れ値が０．４以下であると揺れが小さく、有利である。揺れ値は０．３以下であることが好ましく、０．２以下であることがより好ましい。揺れ値は小さい程好ましいが、過度な圧迫を回避し良好な着用感を容易に得る観点から、例えば、好ましくは０．０３以上であることが好ましい。なお、ノンワイヤータイプのブラジャーにおいては、運動時の左右動がワイヤータイプと比較し大きい傾向がある。このため、本開示においては、揺れ値と共に、胸のヨコ方向における揺れ値の評価も実施した。ヨコ動における揺れ値は、揺れ値を算出する方法と同様に、ヨコ方向における（バストトップの揺れ）−（鎖骨の揺れ）（ｃｍ）の２０秒間での（極大値の平均）−（極小値の平均）（ｃｍ）を算出する。その後、（トップバスト寸法−アンダーバスト寸法）の値（ｃｍ）で除してヨコ方向の揺れ値とする。ヨコ方向における揺れ値は０．２０以下であることが好ましく、０．１５以下であることがより好ましい。ヨコ方向における揺れ値は、小さい程好ましいが、過度な圧迫を回避し良好な着用感を容易に得る観点から、例えば、好ましくは０．０３以上であることが好ましい。
【実施例】
【００９１】
以下、実施例により本発明を具体的に説明する。無論、本発明はこれらに限定されるものではない。なお、実施例及び比較例で得たブラジャーは、以下の方法で評価した。
【００９２】
（１）各部材の生地のタテヨコ平均伸張応力
ＪＩＳ  Ｌ１０９６．８．１２．１  Ａ法のカットストリップ法に準拠し、生地サンプルの応力を計測した。１０％伸張時応力特性については、任意に設定した第１の方向の伸張１０％時応力と、第１の方向と垂直の第２の方向の伸張１０％時応力（幅２．５ｃｍあたり）を測定し、これらの平均値を算出した。
試験片の幅：２．５ｃｍ
試験片のつかみ長さ：１０ｃｍ
伸張速度：３０ｃｍ／ｍｉｎ
各部材の生地サンプルについて上記条件で測定を行ったが、試験片のつかみ長さが取れない場合には適宜長さを変更した。試験片の幅が取れない場合には、適宜幅を変更し、得られた応力値を２．５ｃｍ幅あたりの数値に換算した。
【００９３】
（２）カップ補強部におけるヤング率
カップ補強部のヤング率は、具体的には、水平方向（例えば後述の図３中の直線Ｌ１の方向）及び垂直方向（水平方向に対し、９０°の方向）に伸張させたときのヤング率として測定される。ヤング率は、生地の伸張応力を測定した後、以下の様に歪と生地の伸張応力の関係から算出される。
ヤング率[Ｐａ]＝（生地の伸張荷重[Ｎ/ｍｍ]／生地厚み[ｍｍ]）／（歪[-]）
上記伸張荷重とは、ＪＩＳ  Ｌ１０９６．８．１２．１  Ａ法のカットストリップ法引張り試験に準拠して布帛のタテ方向１０％伸張時応力（Ｎ／２．５ｃｍ幅、以下単にＮと記す）及びヨコ方向１０％伸張時応力（Ｎ）を測定した値である。本値を用い、上記式に従い、生地の厚み及び歪の関係性より、タテ方向及びヨコ方向のヤング率を算出する。
その後、これらを平均した値をカップ補強部におけるヤング率として用いる。
【００９４】
（３）本体の生地の伸張応力及び伸び
ＪＩＳ  Ｌ１０９６．８．１２．１  Ａ法のカットストリップ法に準拠し、２２．１Ｎまでの伸びを計測し、設定の応力に対応する伸びを求めた。
【００９５】
（４）サブウイング部生地のヨコ方向伸張応力の測定
伸縮性編地の伸張応力は次の方法により測定した。
試料の大きさ：長さ１００ｍｍ（把持部を除く）
試験片の幅：２５ｍｍ
引張り試験機：テンシロン引張り試験機（（株）オリエンテック製  ＲＴＣ−１２１０Ａ）
初荷重：０．１Ｎ
引張り速度：３００ｍｍ／ｍｉｎ
引張り長及び測定：３０％伸張まで伸張し、同じ速度で伸張後元の長さに戻し（回復させ）、この条件で伸張、回復を３回繰り返し、３回目の３０％伸張時の伸張応力値を求めた。
【００９６】
（５）肩紐部の伸度
ＪＩＳ  Ｌ１０９６．８．１２．１  Ａ法のカットストリップ法に準拠し、肩紐部の伸張時応力特性を計測した。肩紐の長さ方向に０．５（Ｎ）×断面積（ｍｍ２）の荷重をかけ、伸度（％）を測定した。なお補強部の肩紐が存在する場合は、身生地の肩紐部と補強部の肩紐の各々の伸度を測定した。
試験片のつかみ長さ：１０ｃｍ
伸張速度：３０ｃｍ／ｍｉｎ
各部材の生地サンプルについて上記条件で測定を行ったが、試験片のつかみ長さが取れない場合には適宜長さを変更した。試験片の幅が取れない場合には、適宜幅を変更し測定した。
【００９７】
（６）着用時の揺れ
身長１６０ｃｍ±８ｃｍで（トップバスト−アンダーバスト）によるブラジャーサイズが３８ＤＤ（イギリスサイズ）である５名の被験者にブラジャーを着用させ、トレッドミルで速度６．０ｋｍ／ｈ、１分間に１５０歩のペースで、着地時に片足が地面から離れているように小走りさせた（若しくは、速度５．５ｋｍ／ｈ、１分間に１５０歩のペース）。この際、鎖骨部及びバストトップ部に直径２．０ｃｍの反射球を取り付けておき、反射球を２台の高速カメラ（２００コマ／ＳＥＣ）で２０秒間撮影した。鎖骨部の揺れは１３ｃｍ程度とした。着用時の胸の揺れの指標として、（バストトップの揺れ）−（鎖骨の揺れ）（ｃｍ）の２０秒間での（極大値の平均）−（極小値の平均）（ｃｍ）を算出し、ヨコ（Ｘ）、タテ（Ｙ）及び奥行き（Ｚ）の値のうち最も大きい方向の値を着用時の揺れ（ｃｍ）とし、（トップバスト−アンダーバスト）（ｃｍ）で除して揺れ値とした。５名の結果を平均して算出した。
また、各種の揺れの中でもヨコ方向（Ｘ）の揺れに関して、総合的な揺れ値とは別にヨコ方向の揺れ値も（ヨコ方向のバストトップの揺れ）−（鎖骨の揺れ）（ｃｍ）の２０秒間での（極大値の平均）−（極小値の平均）（ｃｍ）を算出し、ヨコ方向の揺れ量とし、（トップバスト−アンダーバスト）（ｃｍ）で除してヨコ方向の揺れ値とした。
【００９８】
（７）最大着圧
（株）エイエムアイ・テクノ社製の多点接触圧計（ＡＭＩ３０３７−１０）を用いて、ブラジャー着用時に、ウイング部における下辺テープ部、ウイング部中央部、肩紐部の肩中央部、肩紐部の後側付け根部、カップ上方、カップ脇部、及びカップ下方において、着用者とブラジャーとの間にセンサーを挿入して着圧を測定し、得られた値のうち最大値を最大着圧（ｈＰａ）とした。
【００９９】
（８）快適性及び揺れ感
快適性
（６）の着用試験時に以下の基準で評価し、モニターの評価を平均した。
５：  圧迫感がほとんどなく非常に快適である
４：  圧迫感が小さく快適である
３：  やや圧迫感があるが不快ではない
２：  圧迫感があり不快である
１：  圧迫感が強く非常に不快である
揺れ感
（６）の着用試験時に以下の基準で評価し、モニターの評価を平均した。
５：  胸の揺れが気にならない
４：  胸の揺れがあまり気にならない
３：  どちらともいえない
２：  胸の揺れが気になる
１：  胸の揺れがかなり気になる
【０１００】
（９）寄せ感
ブラジャー着用時に被験者にバストの寄せ感（バストアップ感）についてモニター評価を行った。基準は以下に従い評価を実施した。
５：  しっかりとバストの寄せ感を感じる
４：  バストの寄せ感を感じる
３：  バストの寄せ感を少し感じる
２：  バストの寄せ感が弱い
１：  バストの寄せ感が非常に弱い
【０１０１】
［実施例１］
以下の方法で、図２に示す形状である、イギリスサイズ３８ＤＤのブラジャー（日本サイズのＥ８５に対応）（トップバスト寸法とアンダーバスト寸法との差は、２０ｃｍ、バストトップから背中心線までの最短距離が最長になるようにブラジャーを配置したときの当該最短距離は、２７ｃｍ）を作製した。また、本ブラジャーにおいては、カップ端部において、ワイヤーを入れないノンワイヤータイプにて作製した。
【０１０２】
カップに厚み６ｍｍで１０％タテヨコ平均伸張応力が３．０Ｎのウレタン成形品を用い、ナイロン５６ｄｔｅｘポリウレタン４４ｄｔｅｘの２８ＧＧツーウエイトリコット編地で、１０％タテヨコ平均伸張応力が０．４Ｎの生地でカップを包み、カップ部１０２を作製した。カップ部全体の１０％タテヨコ平均伸張応力は３．７Ｎであった。ウイング部１０３にも同じツーウエイトリコット編地を用い、下辺テープにはラッセル１ｃｍ幅テープであってタテヨコ平均伸張応力が１．７Ｎのものを用いた。
【０１０３】
カップ補強部においては、連結部との接合部においては、Ｐ１を起点にＷ１の８０％の長さにおいて肩紐部と接し、カップ脇部においては、Ｐ１からカップ端部に沿って、Ｔ２まで覆った形状にて配置した。補強部の幅は、Ｐ１からＴ１までの領域においては、幅２．０ｃｍであり、Ｔ１からＴ２においては、幅３．０ｃｍで補強部を形成した。なお、マーキゼット織物をウレタンカップに挟み込み、モールドすることで補強部は形成した。補強部のヤング率は１．５×１０６Ｐａであり、ヤング率の比であるタテ方向のヤング率/ヨコ方向のヤング率は０．５であった。
【０１０４】
バストトップＨから背中心Ｃに向かって、１５％の位置（カップ部上に存在）に第１の接合部を、８０％の位置に第２の接合部（ウイング上に存在）を有するサブウイングを、ナイロン４４ｄｔｅｘ及びポリウレタン４４ｄｔｅｘ及び挿入糸としてポリウレタン３１０ｄｔｅｘからなるパワーネットにより形成した。パワーネットのヨコ方向の３０％伸張応力は２．７０Ｎであった。また、サブウイングにおけるＬｂは、ウイングの長さに対して８５％にて形成した。
【０１０５】
肩紐部は経糸に６４０ｄｔｅｘポリウレタンに７０ｄｔｅｘのナイロン加工糸をダブルカバーリングした糸（ドラフト３．５）と１５５ｄｔｅｘのナイロン加工糸を１本交互で配し、緯糸に１５５ｄｔｅｘのナイロン加工糸を用いた織物を作製した。Ｗ１において、幅１．０ｃｍ、厚みは２．０ｍｍ及び、Ｗ２において、幅１．２ｃｍ、厚みは１．８ｍｍ、中間点であるＷ３において、幅１．８ｃｍ、厚みは２．０ｃｍ（平均断面積は２７ｍｍ２）とし取り付けた。肩紐部の長さ方向の伸度は肩中央部で６４％であった。
【０１０６】
カップの下縁部及び上縁部に幅２ｃｍのマーキゼット織物をウレタンカップに挟み込み、モールドすることで、カップと一体化させた。本防振部における１０％平均伸張応力は３５Ｎであった。
【０１０７】
肩紐部のカップ部前中心側端点Ｑ１，Ｑ２と連結部の前中心下端点Ｑ３とを結んで形成される三角形の面積において、ブラジャー構成素材で覆われていない面積は７２％であった。
【０１０８】
作製したブラジャーを着用したときの着用時の胸の揺れの防振効果は大きく、また着圧の最大値は小さく、加速度の絶対値も小さく抑えられており、快適性にも優れていた。更に肩紐部のカップ部前中心側端点Ｑ１，Ｑ２と連結部の前中心下端点Ｑ３とを結んで形成される三角形の面積の７２％がブラジャー構成素材で覆われておらず、審美性にも優れていた。
【０１０９】
［実施例２］
実施例１のブラジャーにおいて、カップの補強部を設置し、防振部であるサブウイング及びカップ部上縁、下縁高応力部を設けないブラジャーを作製し、着用試験を実施した。
【０１１０】
［実施例３］
実施例１のブラジャーにおいて、カップの下縁部及び上縁部に防振部を設けないブラジャーを作製し、着用試験を実施した。
【０１１１】
［実施例４］
実施例１のブラジャーにおいて、補強部に使用した織物に剛性の低いものを使用し、カップ補強部を形成した。本補強部のヤング率は１．３×１０５Ｐａであり、ヤング率の比であるタテ方向のヤング率/ヨコ方向のヤング率は０．９２であるブラジャーを作製し、着用試験を実施した。
【０１１２】
［実施例５］
実施例１のブラジャーにおいて、カップ補強部の被覆面積を、連結部との接合部においては、Ｐ１を起点にＷ１の８０％の長さにおいて肩紐部と接し、カップ脇部においては、Ｐ１からカップ端部に沿って、Ｔ１まで覆った形状にて配置した。補強部の幅は、Ｐ１からＴ１までの領域において、幅２．０ｃｍで補強部を形成した。補強部のヤング率は１．５×１０６Ｐａであり、ヤング率の比であるタテ方向のヤング率/ヨコ方向のヤング率は０．５であった。本ブラジャーを用いて、着用試験を実施した。
【０１１３】
［比較例１］
以下の方法で、図２に示す形状である、イギリスサイズ３８ＤＤのブラジャー（日本サイズのＥ８５に対応）（トップバスト寸法とアンダーバスト寸法との差は、２０ｃｍ、バストトップから背中心線までの最短距離が最長になるようにブラジャーを配置したときの当該最短距離は、２７ｃｍ）を作製した。また、本ブラジャーにおいては、カップ端部において、ワイヤーを入れないノンワイヤータイプにて作製した。
【０１１４】
カップに厚み６ｍｍで１０％タテヨコ平均伸張応力が３．０Ｎのウレタン成形品を用い、ナイロン５６ｄｔｅｘポリウレタン４４ｄｔｅｘの２８ＧＧツーウエイトリコット編地で、１０％タテヨコ平均伸張応力が０．４Ｎの生地でカップを包み、カップ部１０２を作製した。カップ部全体の１０％タテヨコ平均伸張応力は３．７Ｎであった。ウイング部１０３にも同じツーウエイトリコット編地を用い、下辺テープにはラッセル１ｃｍ幅テープであってタテヨコ平均伸張応力が１．７Ｎのものを用いた。
【０１１５】
バストトップＨから背中心Ｃに向かって、１５％の位置（カップ部上に存在）に第１の接合部を、８０％の位置に第２の接合部（ウイング上に存在）を有するサブウイングを、ナイロン４４ｄｔｅｘ及びポリウレタン４４ｄｔｅｘ及び挿入糸としてポリウレタン３１０ｄｔｅｘからなるパワーネットにより形成した。パワーネットのヨコ方向の３０％伸張応力は２．７０Ｎであった。また、サブウイングにおけるＬｂは、ウイングの長さに対して８５％にて形成した。
【０１１６】
肩紐部は経糸に６４０ｄｔｅｘポリウレタンに７０ｄｔｅｘのナイロン加工糸をダブルカバーリングした糸（ドラフト３．５）と１５５ｄｔｅｘのナイロン加工糸を１本交互で配し、緯糸に１５５ｄｔｅｘのナイロン加工糸を用いた織物を作製した。Ｗ１において、幅１．０ｃｍ、厚みは２．０ｍｍ及び、Ｗ２において、幅１．２ｃｍ、厚みは１．８ｍｍ、中間点であるＷ３において、幅１．８ｃｍ、厚みは２．０ｃｍ（平均断面積は２７ｍｍ２）とし取り付けた。肩紐部の長さ方向の伸度は肩中央部で６４％であった。
【０１１７】
カップの下縁部及び上縁部に幅２ｃｍのマーキゼット織物をウレタンカップに挟み込み、モールドすることで、カップと一体化させた。本防振部における１０％平均伸張応力は３５Ｎであった。
【０１１８】
肩紐部のカップ部前中心側端点Ｑ１，Ｑ２と連結部の前中心下端点Ｑ３とを結んで形成される三角形の面積において、ブラジャー構成素材で覆われていない面積は７２％であった。
【０１１９】
［比較例２］
比較例１のブラジャーにおいて、さらに防振部であるサブウイング及びカップ部上縁、下縁高応力部を設けないブラジャーを作製し、着用試験を実施した。
【０１２０】
実施例と比較例の結果からわかるように、カップ脇部において、所定の応力を有したカップ補強部を配置し、且つ所定の防振部を有することで、ノンワイヤータイプのブラジャーにおいても、着用時の着用圧を向上させることなく、動作時の胸の揺れを軽減でき、且つ揺れ感を軽減させつつも、着用感を良好に保つことが可能となることにより快適性に優れたブラジャーを得ることができる。
【０１２１】
実施例２及び比較例２の比較において、ノンワイヤータイプにおいても、カップ脇部に所定の応力を有したカップ補強部を配することで、揺れを低減しつつも快適なブラジャーを得ることができる。
【０１２２】
また、実施例１、３〜５及び比較例１との比較において、カップ補強部を配したうえで、サブウイング部を配することで、高い防振性を有しながらも、着用感の良いブラジャーを得ることができる。
【０１２３】
【表１】
2017214663.tif 000003
【産業上の利用可能性】
【０１２４】
本発明によるブラジャーによれば、運動時の胸の揺れ軽減効果、すなわち防振性に優れるものとなり、フロント部に一般的な開口部を有するようなノンワイヤータイプのブラジャーに好適に適用できる。
【符号の説明】
【０１２５】
１００    ブラジャー
１０１    連結部
１０２    カップ部
１０３    ウイング部
１０４    カップ補強部
１０５    上縁高応力部
１０６    下縁高応力部
１０７ａＳ    カップ側接合部
１０７ｂＳ    ウイング側接合部
１０８    長さ調節機構
１０９    サブウイング部
１１０    肩紐部
１１１    カップフロント部における布帛に覆われていない面積
Ｃ    背中心
Ｈ    バストトップ
Ｉ    バストトップと背中心とを結ぶ線分
Ｐ１    肩紐部とカップ部との脇側の連結点
Ｐ２    肩紐部とウイング部との脇側の連結点
Ｑ１    肩紐部のカップ部前中心側端点
Ｑ２    肩紐部のカップ部前中心側端点
Ｑ３    連結部の前中心下端点
Ｓ    平面
Ｔ    三角形
【図１】
2017214663.tif 000004
【図２】
2017214663.tif 000005
【図３】
2017214663.tif 000006
【図４】
2017214663.tif 000007
【図５】
2017214663.tif 000008